(57)【特許請求の範囲】
【請求項１】
基材上に、凹凸模様を設け、前記凹凸模様は前記基材と同色のインキ又は透明インキの少なくとも１つから印刷された肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法。
【請求項２】
基材上に、凹凸模様を設け、前記凹凸模様は前記基材と同色のインキ又は透明インキの少なくとも１つから印刷された肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて白色光を照射して観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法。
【請求項３】
基材上に、凹凸模様を設け、前記凹凸模様は前記基材と同色のインキ又は透明インキの少なくとも１つから印刷され、前記凹凸模様上に有色インキによる模様印刷による隠蔽層を有した肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて前記有色インキと同色の光を照射して観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法。
【請求項４】
基材上に、凹凸模様を設け、前記凹凸模様は前記基材と同色のインキ又は透明インキの少なくとも１つから印刷され、前記凹凸模様上に有色蛍光インキによる模様印刷と、前記有色蛍光インキとエネルギー線照射時に同色で発光する無色蛍光インキによるベタ模様を印刷された隠蔽層を有した肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、更に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法。
【発明の詳細な説明】
【０００１】
【発明の属する技術分野】
本発明は、銀行券、株券、有価証券、通行券、パスポート、カード等の偽造、複写を防止する必要性のある貴重印刷物に適用される、肉眼では基材と同色又は近似した色相のインキ及び透明インキの少なくとも１つから印刷された任意の凹凸模様は視認しにくいが、判別具を密着させて観察した場合又は白色光を照射して観察した場合等に凹凸模様を視認することができる不可視印刷物の真偽判別方法及びその不可視印刷物並びにその判別具に関するものである。
【０００２】
【従来の技術】
銀行券、株券、有価証券、通行券、パスポート、カード等の貴重印刷物は、その性質上、偽造や改竄されないことが要求される。この防止策として、基材に蛍光剤を添加した透明インキを印刷する偽造防止印刷物に関する技術が用いられている。蛍光剤を添加した透明インキで印刷された印刷物は、通常、可視光では肉眼でこれを視認することができないが、この印刷物に紫外線等のエネルギー線を照射した場合、蛍光剤を添加した透明インキで印刷された情報が蛍光して顕在化することにより真偽判別することができるものである。
【０００３】
また、紙幣などにおいても凹版印刷等を用いることで用紙に凹凸を付与する方法は偽造防止技術としてすでに用いられており、人が手で触れることによってその触感によって凹版印刷されたものか、偽造されたものかを判別することができる。
【０００４】
一方で、印刷物において判別具を用いて簡易的な真偽判別を行う方法としては、例えば、模様部と縁取り部で半周期ずれたパターンを印刷しておき、その背景に縁取り部に対して見た目で判別できない程度の色と濃度を有する印刷を施したものに、縁取り部と干渉するようなパターンを施した判別具を重ねることでモアレを発生させ、真偽判別を行う方法（特開平１０−１００５２９号公報参照）などがある。
【０００５】
【発明が解決しようとする課題】
このように、凹版印刷等を用いた偽造防止技術はすでに用いられており、人が凹版印刷部分に触れることによってその凹凸を触感で認識する方法か、変位計などを用いた機械によって判別することができる。
【０００６】
しかしながら、機械を用いる方法は機械が大がかりになり、また、時間もかかるため、簡易的かつ速やかに認識することはできず、また、人が凹凸にふれて確認するためには凹凸の場所と形状を肉眼で確認できている必要性がある。そのため、擬似的なエンボスでの再現がなされてしまうおそれがあった。
【０００７】
以上のことから、本発明は前述した問題点を解決することを目的としたもので、肉眼では凹凸模様は視認しにくいが、判別具を密着させて、観察した場合又白色光を照射して観察した場合等に凹凸模様を視認できるため、判別具を用いることで容易に真偽判別が可能である。また、凹凸模様と同一領域に凹凸模様の形状とは異なった模様の印刷を行うことによって凹凸模様の形状を識別する事が難しい場合であっても容易に凹凸模様の形状のみを識別することが可能となる不可視印刷物の真偽判別方法及びその不可視印刷物並びにその判別具を提案するものである。
【０００８】
本発明は、基材上に、凹凸模様を設け、前記凹凸模様は前記基材と同色のインキ又は透明インキの少なくとも１つから印刷された肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法である。
【０００９】
また、本発明は、基材上に、凹凸模様を設け、前記凹凸模様は前記基材と同色のインキ又は透明インキの少なくとも１つから印刷された肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて白色光を照射して観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法である。
【００１０】
また、本発明は、基材上に、凹凸模様を設け、前記凹凸模様は前記基材と同色のインキ又は透明インキの少なくとも１つから印刷され、前記凹凸模様上に有色インキによる模様印刷による隠蔽層を有した肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させて前記有色インキと同色の光を照射して観察した場合に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法である。
【００１１】
また、本発明は、基材上に、凹凸模様を設け、前記凹凸模様は前記基材と同色のインキ又は透明インキの少なくとも１つから印刷され、前記凹凸模様上に有色蛍光インキによる模様印刷と、前記有色蛍光インキとエネルギー線照射時に同色で発光する無色蛍光インキによるベタ模様を印刷された隠蔽層を有した肉眼では識別困難な不可視印刷物に、万線パターン又は網点パターンを印刷した光透過性基板からなる判別具を用いて、前記基材上に設けた凹凸模様に、前記判別具の万線パターン又は網点パターンが印刷されている面を密着させてエネルギー線を照射して観察した場合に、前記模様印刷と前記ベタ模様が同色に発色し、前記模様印刷が視認困難となり、更に、前記凹凸模様の凹んでいる領域に前記判別具の万線パターン又は網点パターンの影が発生し、前記判別具の非印刷部から前記影によって可視化された前記凹凸模様が視認されることを特徴とする不可視印刷物の真偽判別方法である。
【００２４】
【発明の実施の形態】
図１に本発明の基本原理を示す。凹版印刷、スクリーン印刷等によって作製した凹凸模様入り基材１の上に判別具２を密着させ、斜めの方向から照明３によって光を照射すると判別具に付与された模様の影によって、基材の凹凸模様が目視で確認できるようになる。
【００２５】
例として、図２のように「Ａ」の凹凸模様５が付与されている凹凸模様入り基材４の場合、図３のように判別具に万線状のパターン７が付与されている場合、凹版インキによる凹凸の付与された面の上に万線パターンの付与された判別具を図４のように密着させる。このとき、判別具において万線パターンが付与された面を凹版インキに密着させる必要がある。照明を斜め方向から照射することによって、凹版インキによる凹凸では判別具の万線パターンによる影１０が発生する。この状態を上から観察すると、凹凸模様上にある判別具の万線パターン８のほかに、凹凸のない部分に発生した影１０が判別具の非画線部９より観察できるため、凹凸模様である「Ａ」が認識できるようになる。なお、基材が柔軟性を持ち、図４における基材が判別具に接触した場合でも、凹版インキの近傍においては判別具との間隔は保たれるため、結果的に凹凸模様の識別は可能である。凹凸模様は凸状、凹状どちらでも作製可能であり、この際、凹によって付与されたパターンと凸によって付与されたパターンは、それぞれ白と黒が反転したように観察される。
【００２６】
しかし、判別具に付与されたパターンが万線パターンの場合、照明方向及び観察方向の両方が万線の方向もしくは真上である場合、もしくは全く同じである場合、発生した影を認識できないため、凹凸模様「Ａ」が認識できないが、それ以外の条件で有れば照明方向及び観察方向は任意でよい。また、判別具に付与されたパターンが網点パターンの場合、照明方向及び観察方向が全く同じである場合をのぞいて、照明方向及び観察方向は任意でよい。
【００２７】
また、判別具に用いる光透過性基板はプラスチックやガラスなどを用いればよく、判別具に付与する模様は上記の万線パターンの場合、線の数は１インチあたり１５０〜３００本程度の本数があれば凹凸模様を認識することができる。ほかには、網点パターンでも同様の効果を得ることができる。網点パターンの場合、線数で１５０から３００線あれば、凹凸模様を認識することができる。網点形状においては、特に限定されることなく、スクエアドット、チェーンドット、ラウンドドット、特殊網点等を使用することができる。また、万線形状は、特に限定されることなく、平行万線、波万線等を使用することができる。また、判別具に付与する各パターンは影を発生させるための高い、不透明度を有していればよく、不透明度が高ければ、黒以外の白等も可能であり、特に限定されるものではない。
【００２８】
また、図５のように判別具を密着させる面に印刷模様１２を施すことによって判別具を密着させない状態で観察したときの凹凸模様１１の秘匿性を向上させることができる。しかしながら、有色インキを用いて印刷模様１２を施し、判別具を密着させて、白色光を照射する場合、凹凸模様１１の視認性を阻害させるため、白色光を色フィルターに通したり、発光ダイオードを用いることによって、有色インキと同色又は近似した色相の光を白色光の代わりに照射することで、印刷模様１２による凹凸模様１１の視認性の低下を抑えることができる。本発明の印刷模様１２は特に限定されることなく彩紋模様、微小文字、ベタ、通常の絵柄を用いることができる。また、本発明の有色インキは、特に限定されないが、黒インキを用いる場合、印刷絵柄はベタを用いると本発明の効果を得ることができない。
【００２９】
また、図６のように印刷模様を有色蛍光インキによる模様１５と、紫外線等のエネルギー線照射時に有色蛍光インキと同色又は近似した色相に発色をする無色蛍光インキによる、凹凸模様全面にわたるベタ模様１７にすることによって、紫外線等のエネルギー線を照射したときに、有色蛍光インキによる模様を見えなくすることによって、凹凸模様のみを視認させることができる。なお、紫外線等照射時に同色又は近似した色相に発色するのであれば、有色蛍光インキは複数色を同一領域に用いてもかまわない。
【００３０】
本発明の凹凸模様は、基材と同色のインキ、基材と近似した色相のインキもしくは透明なインキを用いた凹版印刷もしくはスクリーン印刷等のインキに盛りを有することができる印刷方式を用いて付与してもよい。また、凹凸の高さは５ミクロン程度以上あれば判別は可能である。また、基材には付与された凹凸を阻害しない程度の平滑性があればよい。また、凹凸模様は、文字、記号、絵柄にすることにより真偽判別効果が向上する。
【００３１】
本発明の基材は、紙葉類、フィルム、プラスチック、金属等を利用することができる。
【００３２】
【実施例】
以下、実施例を用いて本発明を更に詳細に説明するが、本発明の内容は、これらの実施例の範囲に限定されるものではない。
【００３３】
（実施例１）
基材に凹凸を付与するために、基材と同色の凹版インキを作製し、凹版印刷を行うことで、凸状の模様を付与した。判別具には１５０線の平行万線が片面に印刷されてあるガラス版を用いた。凸が付与されている場所に、判別具の平行万線がある面を密着させ、判別具および基材に対して斜め方向から白色光（この実施例では懐中電灯を利用した）を照射して観察することによって凸状の模様が確認できた。また、正面から白色光を照射して観察しても凸状の模様が確認することができた。本実施例では凸状の模様としているが凹状模様でも同様の効果が得られる。
【００３４】
（実施例２）
基材に凹凸を付与するために、基材と同色の孔版インキを作製し、孔版印刷を行うことで、凸状の模様を付与した。判別具を密着させない状態における凸状の模様の視認性を低下させるために、凸状の模様に重なるように、可視光下で観察すると赤色で、紫外線下で観察すると同様の赤色に発光する有色蛍光インキを用いた模様印刷をオフセット印刷にて行い、また、可視光下では無色透明で、紫外線下で観察すると有色蛍光インキと同色の赤に発光する無色蛍光インキを同一領域に全面を覆うようにベタ模様をオフセット印刷で印刷した。判別具には１５０線の平行万線が片面に印刷されてあるガラス版を用いた。凸状の模様が付与されている場所に、判別具の平行万線がある面を密着させ、判別具および凸状の模様に対して正面の方向から紫外線を照射し、観察することによって有色蛍光印刷による模様は視認が困難になるために、凸状の模様のみが確認できた。
【００３５】
（実施例３）
基材に凹凸を付与するために、透明の凹版インキを作製し、凹版印刷を行うことで、凸状の模様を付与した。判別具を密着させない状態における凸状の模様の視認性を低下させるために、凸状の模様に重なるように、通常の有色インキで模様の印刷を行った。判別具には１５０線の平行万線が片面に印刷されてあるガラス版を用いた。凸状の模様が付与されている場所に、判別具の平行万線がある面を密着させ、判別具および凸状の模様に対して斜めの方向から模様印刷に用いた有色インキと同色の色フィルターを通した光を照射し、観察することによって有色インキでの印刷による模様は視認が困難になるために、凸状の模様のみが確認できた。
【００３６】
以上、本発明の実施例に基づいて説明したが、本発明はこの実施例に限定されるものではなく、特許請求の範囲記載における技術的思想の範囲内であれば、その他のいろいろな実施の形態が考えられる。
【００３７】
【発明の効果】
肉眼では凹凸模様は視認しにくいが、判別具を密着させて観察した場合又は白色光等を照射して観察した場合に凹凸模様を視認でき、凹凸模様の形成個所を知る者は、簡易的な判別具を用いるだけで容易、かつ確実に真偽判別をすることが可能であり、凹凸模様の形成個所を知らない者は、一見どこに凹凸模様が形成されているか解らないため複製が困難となる。
【００３８】
また、判別具は認識させようとする凹凸模様の大きさ程度であればよいため、判別装置のための設置スペースなどは必要なく、携帯できる程度の大きさが可能である。また、判別具のパターンと照明条件、観察方向が一定の条件を満たせば凹凸模様の形状はどの様な形状でもよく、判別具との重ね合わせにおいても、厳密に位置を合わせて重ねる必要がないため、非常に手軽な判別方法としての利用が考えられる。
【００３９】
【図面の簡単な説明】
【図１】本発明の基本原理を示す図である。
【図２】本発明における凹凸模様を示す図である。
【図３】本発明の判別具の１例を示す図である。
【図４】本発明の基本原理を示す図である。
【図５】本発明における有色インキによる隠蔽模様を示す図である。
【図６】本発明における蛍光インキを用いた隠蔽模様を示す図である。
【符号の説明】
１  凹凸模様入り基材（不可視印刷物）
２  判別具
３  照明
４  凹凸模様入り基材（不可視印刷物）
５  凹凸模様
６  判別具の光透過性基板
７  判別具に付与された万線状のパターン
８  判別具に付与された万線状のパターン
９  凹凸模様入り基材の基材部分（非画線部）
１０  判別具によって発生した影
１１  凹凸模様
１２  有色インキによる隠蔽模様
１３  凹凸模様入り基材（不可視印刷物）
１４  凹凸模様
１５  有色蛍光インキによる隠蔽模様
１６  凹凸模様入り基材（不可視印刷物）
１７  無色蛍光インキによるベタ模様
【図１】
0003855018.tif 000002
【図２】
0003855018.tif 000003
【図３】
0003855018.tif 000004
【図４】
0003855018.tif 000005
【図５】
0003855018.tif 000006
【図６】
0003855018.tif 000007